(57)【要約】      （修正有）【課題】車載に便利なごみ箱を提供する。【解決手段】およそ直方体形状のごみ箱であって、天板１０にごみ挿入口１５を有し、長手方向の側板３９にポケットティッシュ収納部を有し、短手方向の側板２０の１つが開閉可能で、ごみ袋を出し入れ可能となっており、ごみ袋にはその上部にごみ挿入スリットがあり、そのごみ挿入スリットの周囲には前記ごみ箱との連結具が設けられ、前記天板の裏側には該連結具を取り付け可能な構造を有する。連結具は差し込み板であって、前記天板の裏側には該差し込み板受け入れ部が設けらる。ポケットティッシュの取り出し口を横向きに設ける。ポケットティッシュ収納部はポケットティッシュ上部から滑り込ませて収納する構造を有する。ポケットティッシュが折りたたまれている向きが全てについて同一であり、ティッシュを取り出す向きに指を入れやすい構造とした。【選択図】図１
0003107153.tif 000002
【実用新案登録請求の範囲】
【請求項１】
およそ直方体形状のごみ箱であって、
天板にごみ挿入口を有し、
長手方向の側板にポケットティッシュ収納部を有し、
短手方向の側板の１つが開閉可能で、ごみ袋を出し入れ可能となっており、
ごみ袋にはその上部にごみ挿入スリットがあり、そのごみ挿入スリットの周囲には前記ごみ箱との連結具が設けられ、
前記天板の裏側には該連結具を取り付け可能な構造を有するごみ箱。
【請求項２】
請求項１に記載のごみ箱であって、
前記連結具は差し込み板であって、
前記天板の裏側には該差し込み板受け入れ部が設けられたことを特徴とするごみ箱。
【請求項３】
請求項１に記載のごみ箱であって、
前記ポケットティッシュ収納部はポケットティッシュの取り出し口を横向きに設けたごみ箱。
【請求項４】
請求項３に記載のごみ箱であって、
前記ポケットティッシュ収納部はポケットティッシュを上部から滑り込ませて収納する構造を有するごみ箱。
【請求項５】
請求項３又は４のいずれかに記載のごみ箱であって、
ポケットティッシュ袋の中でポケットティッシュが折りたたまれている向きが全てについて同一であり、ティッシュを取り出す向きに指を入れやすい構造としたごみ箱。
【考案の詳細な説明】
【技術分野】
【０００１】
本考案は、ポケットティッシュを収納して取り出し穴からティッシュペーパーを１枚ずつ次々と取り出すポケットティッシュ収納部を有するごみ箱に関する。
【背景技術】
【０００２】
特許文献１には鉄道車両内で用いるごみ箱が開示されている。
【０００３】
特許文献２には包装用のプラスティック袋（買い物袋）を上下２段に引っ掛けて用いられるごみ箱が開示されている。
【０００４】
特許文献１のごみ箱は不特定多数の乗客が出すごみを効率よく収納するものである。
【０００５】
特許文献２のごみ箱は買い物袋の転用にその主眼が置かれている。
【特許文献１】実用新案登録第２５６７４５０号公報
【特許文献２】実用新案登録第２５６０８９３号公報
【考案の開示】
【考案が解決しようとする課題】
【０００６】
本考案の考案者は、自家用車やトラックなどの中で運転者または同乗者が出すごみを効率よく収納できるものが必要であると考えた。そしてティッシュの利用とごみの発生との連関性に鑑みてごみ箱とポケットティッシュの一体化が望ましいと考えた。本考案が解決しようとする問題点は、車載に便利なごみ箱を提供することにある。
【課題を解決するための手段】
【０００７】
本考案に係るごみ箱はおよそ直方体形状のごみ箱であって、天板にごみ挿入口を有し、長手方向の側板にポケットティッシュ収納部を有し、短手方向の側板の１つが開閉可能で、ごみ袋を出し入れ可能となっており、ごみ袋にはその上部にごみ挿入スリットがあり、そのごみ挿入スリットの周囲には前記ごみ箱との連結具が設けられ、前記天板の裏側には該連結具を取り付け可能な構造を有する。
【０００８】
請求項２に記載の考案は、請求項１に記載のごみ箱であって、前記連結具は差し込み板であって、前記天板の裏側には該差し込み板受け入れ部が設けられたものである。
【０００９】
請求項３に記載の考案は、請求項１に記載のごみ箱であって、前記ポケットティッシュ収納部はポケットティッシュの取り出し口を横向きに設けたものである。
【００１０】
請求項４に記載の考案は、請求項３に記載のごみ箱であって、前記ポケットティッシュ収納部はポケットティッシュを上部から滑り込ませて収納する構造を有するものである。
【００１１】
請求項５に記載の考案は、請求項３又は４のいずれかに記載のごみ箱であって、ポケットティッシュ袋の中でポケットティッシュが折りたたまれている向きが全てについて同一であり、ティッシュを取り出す向きに指を入れやすい構造としたものである。
【考案の効果】
【００１２】
本考案のごみ箱は、車内においてもそれほど邪魔にならず、利用価値が高いごみ箱として機能する。ポケットティッシュが収納されているから車内の清掃にも便利である。またごみ袋を取り替えることにより繰り返し使用が可能である。さらにこのごみ箱に使うごみ袋はすき間からごみを挿入するものであるから、ごみを捨てる際に口をしばる必要もなくそのまま捨てられる。
【考案を実施するための最良の形態】
【００１３】
以下図面を参照しつつ本考案の実施形態について説明する。図１は、本考案に係るごみ箱の斜視図である。図１に示すようにこのごみ箱はおよそ直方体形状を有しており天板１０の中央にはごみ挿入口１５が設けられている。長手側の側板の一方はポケットティッシュ収納板３５となっておりその上方が開放されており上部からポケットティッシュを２個滑り込ませることにより収納できる構造となっている。ポケットティッシュを収納した状態で横からティッシュを取り出せるようにポケットティッシュ収納板３５の中央部にはポケットティッシュ取り出し口３６、３７が設けられている。
【００１４】
図２は、ごみ袋１００の斜視図である。ごみ袋１００の上部にはごみ挿入スリット１１０が設けられており、そのごみ挿入スリット１１０を上記ごみ箱のごみ挿入口１５に内側から密着させるべく、ごみ挿入スリット１１０の周りには差し込み板１２０がごみ袋１００に固定されて設けられる。後述するように天板１０の内側には差し込み板受け入れ部６１、６２が設けられており、そこに差し込み板１２０を滑らせて取り付けることによりごみ袋１００と天板１０との密着を実現する。図２においてごみ袋１００はたたまれた状態にあるが、ごみをある程度入れることにより膨らんで前記ごみ箱の内側いっぱいに広がる大きさとなる。ごみ袋１００がごみでいっぱいになると差し込み板１２０を取り付けのときとは逆方向に滑らせてはずすことによりごみ袋１００だけを捨てることができる。その後予備のごみ袋１００を取り付けて再びごみ箱としての利用を可能にする。ごみ袋１００の出し入れの前提として側板２０が開閉可能となっている。
【００１５】
図３は、ごみ箱の展開図である。丈夫な厚手の紙で作ることを前提に展開図を描いているがプラスティックでこのごみ箱を作ることもできる。その場合折り目部分を薄くしその他の部分を厚い板として成形すれば、折り曲げることも可能である。その場合図３の展開図に若干の変更を加える必要があるが大筋のアイデアは共通のもので構わない。
【００１６】
図３の展開図を簡単に説明すると、天板１０はおよそ長方形でありその四辺には側板２０、２１、２２、２３がつながる。そして側板２３には底板３０がつながり底板３０にはさらにポケットティッシュ収納板３５がつながる。そしてポケットティッシュ収納側板３８、３９及びポケットティッシュ収納側板のりしろ４０、４１、ポケットティッシュ収納天板５０、ポケットティッシュ収納天板のりしろ５１、ポケットティッシュ押さえ板５２、５３などを順次折り曲げていくことによりポケットティッシュ収納部が構成される。のりしろの部分は接着剤又は両面テープなどにより接合される。
【００１７】
図４は、本考案に係るごみ箱の組み立て第一段階を示す斜視図である。図４では折り曲げ部分が途中まで曲げた状態で示してある。図３の展開図では見えていなかった差し込み板受け入れ部６１、６２が図４では一部見える状態になっている。
【００１８】
図５、本考案に係るごみ箱の組み立て第二段階を示す斜視図である。底板が下になるようにして側板底のりしろ２４を底板３０の端いっぱいのところに接合する。この側板底のりしろの幅はポケットティッシュ収納側板３８、３９の幅と同程度でありポケットティッシュ収納部の厚みとなる部分である。言い方を変えれば、天板１０の幅は底板３０の幅に比べると側板底のりしろ２４の幅の分だけ短い。
【００１９】
図６は、本考案に係るごみ箱の組み立て第三段階を示す斜視図である。図６では側板２０及び２２が折り曲げられ側板横舌状体２５、２６、２７、２８も折り曲げられて内側に隠れている。これらの２つの側板のうち一方は取れないように接合され、他方は繰り返し開閉できるようにされる。
【００２０】
図７は、本考案に係るごみ箱の組み立て第四段階を示す斜視図である。図７ではポケットティッシュ収納板３５が直立する状態まで起こされポケットティッシュ収納天板５０が水平となりポケットティッシュ収納天板のりしろ５１が折り曲げられて側板２１に接合される。このときポケットティッシュ押さえ板５２、５３は下方に行くにつれやや開いた状態で保たれ、後述するようにポケットティッシュを収納したときに挟み込む板ばねの機能を果たす。
【００２１】
図８は、本考案に係るごみ箱の組み立て第五段階を示す斜視図である。図８では、ポケットティッシュ収納側板のりしろ４０及び４１が、側板２１に接合された結果、ポケットティッシュ収納側板３８が側板２２とつながり、ポケットティッシュ収納側板３９が側板２０とつながる。
【００２２】
図９は、本考案に係るごみ箱の組み立て第六段階を示す斜視図である。ごみ袋１００をごみ箱内部に収納する様子を示すためにごみ箱の底板３０の側からみた斜視図としてある。側板２２が開閉自由となっている側板であるとする。ごみ袋１００の上部にはごみ挿入スリット１１０が設けられており、そのすきまからごみを内部に収納可能となっている。ごみ挿入スリット１１０の回りには差し込み板１２０がごみ袋１００に固定されて設けられる。差し込み板１２０は、たとえば丈夫な厚紙でつくられており、ごみ箱内部の天板１０裏側に設けられた差し込み板受け入れ部６１、６２によりすべりこませて固定される。ごみ袋１００をごみ箱内に固定したのち、側板２２を閉じる。
【００２３】
図１０は、ごみ箱内部にごみ袋が収納された状態を示す断面図である。ゴミ袋１００は、ごみ箱いっぱいに広がる程度の大きさのものとすれば、最大限のごみを収納可能となる。また、ゴミ袋の予備をいくつか余分にいれておき、一つ目のゴミ袋がいっぱいになったらそれを捨てて別のゴミ袋をとりつけるようにしてもよい。
【００２４】
図１１は、本考案に係るごみ箱の組み立て第七段階を示す断面図である。ポケットティッシュ２００を二個収納することにより、本考案に係るごみ箱は完成する。ここで、ポケットティッシュの場合の、中のティッシュの折りたたみ方について説明する。ポケットティッシュの場合の折りたたみ方は、通常、ボックスティッシュの場合の折りたたみ方とは異なる。ボックスティッシュの場合は、互い違いの向きに折りたたまれており、一度引き出すごとに、紙の向きが逆になる。それに対し、ポケットティッシュの場合は、毎回同じ向きである。ボックスティッシュの場合は、次の紙が半分程度引き出されたままの状態で用いるのに対し、ポケットティッシュの場合は、次の紙が出てこない状態、すなわちしまいこんだままの状態で使うのが衛生的であるからその違いがあると思われる。この点に鑑みて、ポケットティッシュの紙が取り出しやすい向きに方向指示マーク２１０をつけ、その向きにあわせてポケットティッシュ収納部にはへこみ７６，７７を設けるのが望ましい。車内で用いるには、いちいち紙の向きを確認するのは大変だからである。図１１において、方向指示マーク２１０として手の指を描いてある。単なる矢印でも代用可能であるし、他のマークでもその意味がわかればよい。上に方向指示マークがあるのは、紙が下のほうにあるので、上から手を入れて取り出すべきことを示すものである。図１１では、方向指示マーク２１０が上についているポケットティッシュ２個を上から入れて収納している。このとき、ミシン目は開いて紙を取り出せる状態にしておく。くぼみ７６，７７は指を上から下に向けて入れるのに適した構造となっていて、下から上に向かっているティッシュを取り出すのに便利である。
【００２５】
図１２は、ポケットティッシュの取り出し方向を指示する方向指示マークを説明する斜視図である。方向指示マークが上についているので、取り出すべき紙の端が下側にあって上に向いていることを示している。ティッシュを取り出して使おうとする人は、上から下に向けて指を挿入して紙をつかんで取り出す。
【００２６】
図１３は、ポケットティッシュの取り出しの際の様子を示す断面図である。取り出すべきティッシュの紙は、下側にあるから上側から指を入れてその指を少し下に伸ばすと紙をつかめる。紙をつかんでから上に引っ張り出すことによりティッシュを取り出せる。
【００２７】
図１４は、ボックスティッシュ小分け袋を示す斜視図である。ボックスティッシュとは家庭などで居間に置いて用いる箱型のティッシュであり次に使う紙の半分ほどが飛び出た形で使用し、ティッシュを使う時にはその飛び出た紙をつかんで引っ張り上げると次の紙が再び半分ほど飛び出た状態で保たれるものである。図１４では、箱いっぱいに入るティッシュの量の例えば４分の１程度のティッシュをボックスティッシュ小分け袋３５０に収納しそれを図１４のような箱に収納して用いる。この箱はティッシュ取り出し口３１５を有するボックスティッシュ天板３１０、それに繋がるボックスティッシュ側板３２０、３２１、３２２、３２３などからなるもので、ボックスティッシュ側板３２０は開閉可能となっておりボックスティッシュ小分け袋３５０の出し入れが可能である。そしてボックスティッシュ小分け袋３５０にはミシン目３６０が設けられており、そのミシン目を破って隙間を作るとそこを通してティッシュ取り出し口３１５からのティッシュ取出しが可能となる。
【００２８】
図１５は、ボックスティッシュ小分け袋を複数個収納した様子を示す斜視図である。ここでは４個収納している。上の１個を使い終わるとその下のボックスティッシュ小分け袋３５０のミシン目３６０を破って使い続けることができる。また予備のボックスティッシュ小分け袋３５０を一番下に追加して収納することにより使用しているボックスティッシュ小分け袋３５０とボックスティッシュ取り出し口３１５との距離を近いまま保つことが可能である。
【００２９】
図１６は、ポケットティッシュ箱にポケットティッシュを収納する様子を示す斜視図である。図１５におけるポケットティッシュはポケットに丸ごと入れられる程度の大きさのポケットティッシュ袋４５０に収納されたポケットティッシュである。ポケットティッシュ箱天板４１０、ポケットティッシュ箱側板４２０、４２１、４２２、４２３などからなる箱はポケットティッシュ箱側板４２０が開閉可能となっており、ポケットティッシュ袋４５０を収納する。
【００３０】
図１７は、ポケットティッシュ箱にポケットティッシュを複数個収納した様子を示す斜視図である。一番上を用いてなくなった後はその袋を取り除いて次の袋を使い始めるのは図１５の場合と同様である。また予備の袋を追加して高さを保つことが可能であるのも図１５の場合と同様である。さらに上述した方向指示マーク２１０のついたポケットティッシュ袋を用いる場合にはポケットティッシュ箱天板４１０にも方向指示マーク２１０を設けることとするのが望ましい。
【００３１】
図１８は、紙ナプキン小分け袋を示す斜視図である。上述したティッシュの小分け袋の考え方はファミリーレストランのテーブル上などで用いる紙ナプキンにも応用できる。すなわち紙ナプキンを数枚収納した紙ナプキン小分け袋５５０の上部にミシン目５６０を設ける。
【００３２】
図１９は、紙ナプキン小分け袋のミシン目を用いて袋の上部をはずした状態を示す斜視図である。ミシン目５６０を切って袋の上部をはずすと紙ナプキンが１枚ずつ取りだせる。
【００３３】
図２０は、紙ナプキン小分け袋を複数個収納した様子を示す斜視図である。紙ナプキン収納箱５７０はいろんな形態の物に応用可能であるが図２０に示した例では紙ナプキン小分け袋５５０を５個収納し、一番手前の紙ナプキン小分け袋５５０だけが中身の露出した状態となっている。使い切るに従って空になった袋を取り除き次の袋を使い始めるのはティッシュの場合と同様である。また追加の袋を収納することによって常にいっぱいに詰められた状態で用いることができる。
【００３４】
図３には展開図を示してごみ箱の組み立て方を説明したが、全体を例えばプラスティックなどで成形してもよい。その場合の側板の一部を開閉可能な構造とする。また上述したごみ箱にごみ袋１００を装着してごみ箱として使うのみならずボックスティッシュ小分け袋３５０を入れてボックスティッシュとして利用することも可能であるから、ごみ袋１００とボックスティッシュ小分け袋３５０とをそれぞれ複数個混在させてごみ箱とセットで用いることとする他の実施例も可能である。
【産業上の利用可能性】
【００３５】
自家用車やトラックなどの車載グッズとして製造販売される。またコンビニエンスストアなどで販売される日用品としても用いられる。
【図面の簡単な説明】
【００３６】
【図１】本考案に係るごみ箱の斜視図である。
【図２】ごみ袋の斜視図である。
【図３】ごみ箱の展開図である。
【図４】本考案に係るごみ箱の組み立て第一段階を示す斜視図である。
【図５】本考案に係るごみ箱の組み立て第二段階を示す斜視図である。
【図６】本考案に係るごみ箱の組み立て第三段階を示す斜視図である。
【図７】本考案に係るごみ箱の組み立て第四段階を示す斜視図である。
【図８】本考案に係るごみ箱の組み立て第五段階を示す斜視図である。
【図９】本考案に係るごみ箱の組み立て第六段階を示す斜視図である。
【図１０】ごみ箱内部にごみ袋が収納された状態を示す断面図である。
【図１１】本考案に係るごみ箱の組み立て第七段階を示す断面図である。
【図１２】ポケットティッシュの取り出し方向を指示する方向指示マークを説明する斜視図である。
【図１３】ポケットティッシュの取り出しの際の様子を示す断面図である。
【図１４】ボックスティッシュ小分け袋を示す斜視図である。
【図１５】ボックスティッシュ小分け袋を複数個収納した様子を示す斜視図である。
【図１６】ポケットティッシュ箱にポケットティッシュを収納する様子を示す斜視図である。
【図１７】ポケットティッシュ箱にポケットティッシュを複数個収納した様子を示す斜視図である。
【図１８】紙ナプキン小分け袋を示す斜視図である。
【図１９】紙ナプキン小分け袋のミシン目を用いて袋の上部をはずした状態を示す斜視図である。
【図２０】紙ナプキン小分け袋を複数個収納した様子を示す斜視図である。
【符号の説明】
【００３７】
１０    天板
１５    ごみ挿入口
２０，２１，２２，２３    側板
２４    側板底のりしろ
２５，２６，２７，２８    側板横舌状体
３０    底板
３５    ポケットティッシュ収納板
３６，３７    ポケットティッシュ取り出し口
３８，３９    ポケットティッシュ収納側板
４０，４１    ポケットティッシュ収納側板のりしろ
５０    ポケットティッシュ収納天板
５１    ポケットティッシュ収納天板のりしろ
５２，５３    ポケットティッシュ押さえ板
６１，６２    差し込み板受け入れ部
７６，７７    へこみ
１００    ごみ袋
１１０    ごみ挿入スリット
１２０    差し込み板
２００，２０１，２０２    ポケットティッシュ
２１０    方向指示マーク
３１０    ボックスティッシュ天板
３１５    ティッシュ取り出し口
３２０，３２１，３２２，３２３    ボックスティッシュ側板
３２５，３２６    側板横舌状体
３２９    側板底舌状体
３５０    ボックスティッシュ小分け袋
３６０    ミシン目
４１０    ポケットティッシュ箱天板
４１５    ティッシュ取り出し口
４２０，４２１，４２２，４２３    ポケットティッシュ箱側板
４２５，４２６    側板横舌状体
４２９    側板底舌状体
４５０    ポケットティッシュ袋
４６０    ミシン目
５５０    紙ナプキン小分け袋
５６０    ミシン目
５７０    紙ナプキン収納箱
【図１】
0003107153.tif 000003
【図２】
0003107153.tif 000004
【図３】
0003107153.tif 000005
【図４】
0003107153.tif 000006
【図５】
0003107153.tif 000007
【図６】
0003107153.tif 000008
【図７】
0003107153.tif 000009
【図８】
0003107153.tif 000010
【図９】
0003107153.tif 000011
【図１０】
0003107153.tif 000012
【図１１】
0003107153.tif 000013
【図１２】
0003107153.tif 000014
【図１３】
0003107153.tif 000015
【図１４】
0003107153.tif 000016
【図１５】
0003107153.tif 000017
【図１６】
0003107153.tif 000018
【図１７】
0003107153.tif 000019
【図１８】
0003107153.tif 000020
【図１９】
0003107153.tif 000021
【図２０】
0003107153.tif 000022